(57)【特許請求の範囲】
【請求項１】
パワースイッチと、
前記パワースイッチがオンされてから第１の遅延時間後に電源オンする第１の電源ユニットと、
前記パワースイッチがオンされてから、あるいは前記第１の電源ユニットが電源オンされてから前記第１の遅延時間と異なる第２の遅延時間後に電源オンする第２の電源ユニットと、
前記第１の遅延時間と前記第２の遅延時間を入れ替えることで前記パワースイッチがオンされてからのトータルの遅延時間を維持しつつ前記第１の電源ユニットと前記第２の電源ユニットの電源オンタイミングを増減調整する切替スイッチと、
を備えることを特徴とする電源投入シーケンス制御装置。
【請求項２】
パワースイッチと、
前記パワースイッチがオンされてから第１の遅延時間後に電源オンする第１の電源ユニットと、
前記第１の電源ユニットが電源オンされてから第２の遅延時間に電源オンする第２の電源ユニットと、
前記第２の電源ユニットが電源オンされてから前記第２の遅延時間と異なる第３の遅延時間後に電源オンする第３の電源ユニットと、
前記第２の遅延時間と前記第３の遅延時間を入れ替えることで前記パワースイッチがオンされてからのトータルの遅延時間を維持しつつ前記第２の電源ユニットと前記第３の電源ユニットの電源オンタイミングを増減調整する切替スイッチと、
を備えることを特徴とする電源投入シーケンス制御装置。
【請求項３】
前記第１の電源ユニットには入力機器が接続され、
前記第２の電源ユニットには調整機器が接続され、
前記第３の電源ユニットには出力機器が接続される
ことを特徴とする請求項２に記載の電源投入シーケンス制御装置。
【発明の詳細な説明】
【技術分野】
【０００１】
本発明は電源投入シーケンス制御装置に関する。  
【背景技術】
【０００２】
従来から、複数の音響機器に電源を分配供給するためのパワーディストリビュータが開発されている。近年のパワーディストリビュータには、接続される音響機器に対する電源投入時のノイズ発生の防止や、音響機器の起動時間を考慮した電源投入タイミングを図るために、各電源ユニット間に電源投入タイミングを調整するための遅延時間を設定し、接続される音響機器に順番に電源を投入する電源投入シーケンスが採用されている。
【０００３】
下記の特許文献には、遅延時間に基づいて電源を順次投入する電源投入シーケンスや、遅延時間を任意に設定できる電源投入シーケンスが記載されている。    
【先行技術文献】
【特許文献】
【０００４】
【特許文献１】実用新案登録第３００８７８３号
【特許文献２】特開平０５−１６８１５２号公報
【特許文献３】特許第３７７６６７８号
【発明の概要】
【発明が解決しようとする課題】
【０００５】
しかしながら、従来のパワーディストリビュータにおける電源ユニット間の遅延時間は、固定値であったり、任意に設定できたりと、製品仕様により異なるものの、設定の融通性については殆ど考慮されていない。
【０００６】
電源ユニット間の遅延時間が固定値の場合、そもそも遅延時間の調整ができないので、接続する音響機器の特性に合わせた電源投入タイミングを調整することができない。また、各電源ユニットに電源投入の優先度が予め決められているため、パワーディストリビュータに接続されている音響機器の電源投入タイミングの先後を入れ替えたい場合には、電源ユニットに対する音響機器の接続状態を物理的に変更しなければならず、使い勝手が悪い。特に、パワーディストリビュータがラックにマウントされている場合には、パワーディストリビュータ自体をラックから外さなければならず、使い勝手の悪さが顕著となる。
【０００７】
他方、電源ユニット間の遅延時間を任意に設定できる場合、各電源ユニット間において接続する音響機器の特性に合わせた電源投入タイミングを調整できるが、パワーディストリビュータに接続されている音響機器の使用状況（使用の有無）や新たに接続された音響機器の特性に合わせて電源投入タイミングを変更したい場合には、各電源ユニット間の遅延時間毎に再調整しなければならず、手間がかかる。また、パワーディストリビュータに接続されている音響機器の電源投入タイミングの先後を入れ替えたい場合、同様に電源ユニットに対する音響機器の接続状態を物理的に変更しなければならない。
【０００８】
本発明の目的は、簡易な操作によって、接続される音響機器等の特性、特にその起動時間に合わせて電源投入タイミングを調整できる装置を提供することにある。  
【課題を解決するための手段】
【０００９】
本発明は、パワースイッチと、前記パワースイッチがオンされてから第１の遅延時間後に電源オンする第１の電源ユニットと、前記パワースイッチがオンされてから、あるいは前記第１の電源ユニットが電源オンされてから前記第１の遅延時間と異なる第２の遅延時間後に電源オンする第２の電源ユニットと、前記第１の遅延時間と前記第２の遅延時間を入れ替えることで前記パワースイッチがオンされてからのトータルの遅延時間を維持しつつ前記第１の電源ユニットと前記第２の電源ユニットの電源オンタイミングを増減調整する切替スイッチとを備えることを特徴とする。
【００１０】
また、本発明は、パワースイッチと、前記パワースイッチがオンされてから第１の遅延時間後に電源オンする第１の電源ユニットと、前記第１の電源ユニットが電源オンされてから第２の遅延時間に電源オンする第２の電源ユニットと、前記第２の電源ユニットが電源オンされてから前記第２の遅延時間と異なる第３の遅延時間後に電源オンする第３の電源ユニットと、前記第２の遅延時間と前記第３の遅延時間を入れ替えることで前記パワースイッチがオンされてからのトータルの遅延時間を維持しつつ前記第２の電源ユニットと前記第３の電源ユニットの電源オンタイミングを増減調整する切替スイッチとを備えることを特徴とする。
【００１１】
本発明の他の実施形態では、前記第１の電源ユニットには入力機器が接続され、前記第２の電源ユニットには調整機器が接続され、前記第３の電源ユニットには出力機器が接続される。
【発明の効果】
【００１２】
本発明によれば、簡易な操作によって、接続される音響機器等の特性に合わせて電源投入タイミングを調整できる。
【図面の簡単な説明】
【００１３】
【図１】実施形態に係る装置の正面図及び背面図である。
【図２】実施形態に係る装置の構成ブロック図である。
【図３】電源投入シーケンスを示すタイミングチャート（その１）である。
【図４】電源投入シーケンスを示すタイミングチャート（その２）である。
【図５】電源投入シーケンスを示すタイミングチャート（その３）である。
【図６】電源投入シーケンスを示すタイミングチャート（その４）である。
【図７】電源投入シーケンスを示すタイミングチャート（その５）である。
【図８】実施形態に係る装置のカスケード接続状態を示す説明図である。
【発明を実施するための形態】
【００１４】
以下、図面に基づき本発明の実施形態について説明する。
【００１５】
図１は、本実施形態に係る電源投入シーケンス制御装置としてのパワーディストリビュータの正面図及び背面図であり、図１（Ａ）は正面図、図１（Ｂ）は背面図である。
【００１６】
パワーディストリビュータ１０は、接続される複数の機器に電力を分配供給する装置であり、接続される複数の機器の電源投入タイミングを調整できる装置である。パワーディストリビュータ１０に接続される機器は特に限定されないが、本実施形態では一例として音響機器を例示する。電源投入タイミングは、複数の音響機器がそれぞれ接続される電源ユニットの遅延時間により調整される。パワーディストリビュータ１０は、通常、ラックにマウントされて使用される。
【００１７】
パワーディストリビュータ１０のフロントパネルには、パワースイッチ１２、ＬＥＤ群１４、遅延時間調整用テーブル１６、切替スイッチ（ＳＷ）１８、及び電源ユニット２０が設けられる。また、パワーディストリビュータ１０のリアパネルには、３つの電源ユニット２２，２４，２６が設けられる。
【００１８】
電源ユニット２０は、遅延時間が設定されない電源ユニットであり、常に電力が分配供給される。図では電源ユニット２０はフロントパネルに１つだけ設けられているが、必要に応じて２つあるいはそれ以上設けてもよい。他方、電源ユニット２２，２４，２６は、遅延時間が設定される電源ユニットであり、パワーディストリビュータ１０のパワースイッチ１２がオンされると、それぞれ設定された遅延時間に基づいて電力が分配される。
【００１９】
パワースイッチ１２は、パワーディストリビュータ１０本体の電源スイッチであり、ユーザはこのパワースイッチ１２をオン／オフすることで、接続される各音響機器に遅延時間に基づいて電力を分配供給する。
【００２０】
ＬＥＤ群１４は、電源ユニット２２，２４，２６の電源投入状態を報知するＬＥＤであり、それぞれ電源ユニット２２，２４，２６に対応する３個のＬＥＤから構成される。ＬＥＤ群１４を構成するそれぞれのＬＥＤは、対応する電源ユニット２２，２４，２６が電源投入待機状態（遅延時間内）にあるときに点滅し、電源投入状態（遅延時間経過後）で点灯する。
【００２１】
遅延時間調整用テーブル１６は、電源ユニット２２，２４，２６の遅延時間を設定する際にユーザが参照するテーブルであり、図では電源ユニット２２，２４，２６それぞれの遅延時間としてＴｉｍｉｎｇ１、Ｔｉｍｉｎｇ２、Ｔｉｍｉｎｇ３の組合せがパターンＡ〜Ｃの３通り示されている。すなわち、パターンＡは、
Ｔｉｍｉｎｇ１＝１ｓ（秒）
Ｔｉｍｉｎｇ２＝５ｓ（秒）
Ｔｉｍｉｎｇ３＝５ｓ（秒）
であり、パターンＢは、
Ｔｉｍｉｎｇ１＝１ｓ（秒）
Ｔｉｍｉｎｇ２＝５ｓ（秒）
Ｔｉｍｉｎｇ３＝５ｍ（分）
であり、パターンＣは、
Ｔｉｍｉｎｇ１＝１ｓ（秒）
Ｔｉｍｉｎｇ２＝５ｍ（分）
Ｔｉｍｉｎｇ３＝５ｓ（秒）
である。
【００２２】
「Ｔｉｍｉｎｇ１」は、パワースイッチ１２がオンされてから電源ユニット２２がオンするまでの遅延時間、「Ｔｉｍｉｎｇ２」は、電源ユニット２２がオンされてから電源ユニット２４がオンするまでの遅延時間、「Ｔｉｍｉｎｇ３」は、電源ユニット２４がオンされてから電源ユニット２６がオンするまでの遅延時間である。すなわち、
パワースイッチ１２がオン→Ｔｉｍｉｎｇ１経過後に電源ユニット２２がオン→Ｔｉｍｉｎｇ２経過後に電源ユニット２４がオン→Ｔｉｍｉｎｇ３経過後に電源ユニット２６がオン
のシーケンスである。
【００２３】
リアパネルに設けられた電源ユニット２２，２４，２６には、それぞれ「Ｔｉｍｉｎｇ１」、「Ｔｉｍｉｎｇ２」、「Ｔｉｍｉｎｇ３」と表示されており、ユーザはこの表示とテーブル１６とを参照することで、各電源ユニット２２，２４，２６と遅延時間の対応関係を把握することができる。また、ユーザはこのテーブル１６を参照することで、電源ユニット２２、電源ユニット２４、電源ユニット２６の順番で電源オンとなることを把握することができ、音響機器を接続する際の参考とすることができる。
【００２４】
切替スイッチ１８は、パターンＡ、パターンＢ、パターンＣを選択的に切り替える手動操作可能なスイッチである。各パターンと遅延時間の対応関係はテーブル１６で規定されており、
パターンＡ：
電源ユニット２２のＴｉｍｉｎｇ１＝１ｓ
電源ユニット２４のＴｉｍｉｎｇ２＝５ｓ
電源ユニット２６のＴｉｍｉｎｇ３＝５ｓ
パターンＢ：
電源ユニット２２のＴｉｍｉｎｇ１＝１ｓ
電源ユニット２４のＴｉｍｉｎｇ２＝５ｓ
電源ユニット２６のＴｉｍｉｎｇ３＝５ｍ
パターンＣ：
電源ユニット２２のＴｉｍｉｎｇ１＝１ｓ
電源ユニット２４のＴｉｍｉｎｇ２＝５ｍ
電源ユニット２６のＴｉｍｉｎｇ３＝５ｓ
である。
【００２５】
パターンＡとパターンＢに着目すると，パターンＡではＴｉｍｉｎｇ３は５ｓであるがパターンＢではＴｉｍｉｎｇ３は５ｍと長くなっている。また、パターンＢとパターンＣに着目すると、Ｔｉｍｉｎｇ１は同一であるが、Ｔｉｍｉｎｇ２とＴｉｍｉｎｇ３が交互に入れ替わっている。すなわち、ユーザは、切替スイッチ１８を操作してパターンＡからパターンＢに切り替えることで、電源ユニット２６の遅延時間を５ｓから５ｍに容易に増大させることができ、また、パターンＢからパターンＣに切り替えることで、電源ユニット２４と電源ユニット２６の遅延時間を交換することができる。このことは、パターンＢでは電源ユニット２４の遅延時間は電源ユニット２２の電源オンタイミングから５秒後であるところ、パターンＣでは電源ユニット２４の遅延時間を電源ユニット２２の電源オンタイミングから５分後に遅らせることを意味し、仮に、電源ユニット２２の電源オンから電源ユニット２２に接続された音響機器が起動するまでに時間を要したとしても、電源ユニット２４の電源オンタイミングが５秒から５分に遅延しているため、電源ユニット２２に接続された音響機器が起動する前に電源ユニット２４に接続された音響機器が意に反して電源オンしてしまう事態を防止し得ることを意味する。
【００２６】
この点について、より具体的に説明する。
【００２７】
既述したように、電源ユニット２２，２４，２６はこの順番で電源オンされ、それぞれに接続された音響機器に通電される。そこで、電源ユニット２２にＣＤプレーヤやマルチトラックレコーダ等の入力機器を接続し、電源ユニット２４にミキシングコンソール等の調整機器を接続し、電源ユニット２６にパワーアンプやパワードスピーカ等の出力機器を接続する。入力機器が起動する前に調整機器の電源がオンしてしまうとレベルメータ等が誤作動し、調整機器が起動する前に出力機器の電源がオンしてしまうとノイズが生じてしまうので、入力機器が起動した後に調整機器の電源をオンし、調整機器が起動した後に出力機器の電源をオンする必要がある。
【００２８】
音響機器の電源をオンした直後に当該機器が起動するのであれば問題ないが、音響機器の電源をオンしても種々の理由により当該機器が起動状態となるまでに時間を要する場合がある。例えば、入力機器のＯＳとして特定のＯＳを用いているため起動に時間を要する、あるいは、入力機器をネットワークに接続するために起動に時間を要する等である。特に後者の場合には、動的に変化し得る通信トラフィックに依存するため起動に要する時間が不定となり得る。入力機器の電源をオンしてから当該入力機器が起動するまでに５秒以内であれば、パターンＡあるいはパターンＢでも入力機器が起動した後に調整機器の電源がオンするため問題は生じないが、入力機器の電源をオンしてから当該入力機器が起動するまでに５秒以上を要するのであれば、パターンＡとパターンＢでは入力機器が起動する前に調整機器の電源がオンしてしまう。
【００２９】
このような場合において、ユーザは、切替スイッチ１８を操作してパターンＡあるいはパターンＢからパターンＣに切り替えることで、電源ユニット２４の遅延時間を５秒から５分に入れ替える。すると、たとえ入力機器の電源をオンしてから当該入力機器が起動するまでに５秒以上を要したとしても、調整機器の電源がオンするまでに５分の遅延があるため、入力機器が確実に起動した後に調整機器の電源をオンすることができる。
【００３０】
ここで、パターンＣの場合、パターンＢの電源ユニット２４と電源ユニット２６の遅延時間を相互に入れ替えるため、電源ユニット２４の遅延時間が５秒から５分に増大変更されるとともに、電源ユニット２６の遅延時間が５分から５秒に短縮変更される。従って、電源ユニット２６の遅延時間が５分のままの場合と比べて、パワーディストリビュータ１０のパワースイッチ１２をオンしてからのトータルの遅延時間（Ｔｉｍｉｎｇ１＋Ｔｉｍｉｎｇ２＋Ｔｉｍｉｎｇ３）を短縮できる利点がある。すなわち、パターンＢとパターンＣのトータルの遅延時間は同一である。言い換えれば、ユーザは、切替スイッチ１８を操作するだけで、トータルの遅延時間を一定に維持しつつ、特定の電源ユニットの遅延時間を増減調整できる。
【００３１】
図２は、本実施形態に係るパワーディストリビュータ１０の構成ブロック図である。パワーディストリビュータ１０は、上記の電源ユニット２０，２２，２４，２６、パワースイッチ１２、ＬＥＤ群１４、切替スイッチ１８に加え、電源プラグ３０、メインコントローラ３２、及びサブコントローラ３４を備える。
【００３２】
メインコントローラ３２は、パワーディストリビュータ１０の全体を制御する。メインコントローラ３２は、電源プラグ３０が外部交流電源に接続されると、外部交流電源からの交流電力をサブコントローラ３４に供給するとともに、電源ユニット２０，２２，２４，２６にそれぞれ分配供給する。メインコントローラ３２は、外部交流電源ラインのうち、Ｎ（ニュートラル）ラインを電源ユニット２２，２４，２６のそれぞれのＮ端子に供給し、Ｌ（ライブ）ラインをサブコントローラ３４の端子に接続する。また、メインコントローラ３２は、外部交流電源ラインのうち、Ｎライン及びＬラインを直接、電源ユニット２０のＮ端子及びＬ端子に接続する。従って、電源ユニット２０には、パワースイッチ１２のオン／オフとは無関係に、常時交流電力が供給される。
【００３３】
サブコントローラ３４は、電源ユニット２２，２４，２６の電源オンタイミングを調整するタイミングコントローラ３６を備える。また、サブコントローラ３４には、パワースイッチ１２、ＬＥＤ群１４、切替スイッチ１８が接続される。サブコントローラ３４は、パワースイッチ１２がオンされると起動し、切替スイッチ１８の切替状態に応じて電源ユニット２２，２４，２６の電源オンタイミングを調整するとともに、電源ユニット２２，２４，２６の状態に応じてＬＥＤ群１４を構成する３つのＬＥＤの点灯状態を制御する。メインコントローラ３２及びサブコントローラ３４は、例えばＩＣ回路で構成される。
【００３４】
電源ユニット２２は、２つの電源ユニットからなり、それぞれＬ（ライブ）端子、Ｎ（ニュートラル）端子、ＦＧ端子を備える。Ｎ端子は上記のようにメインコントローラ３２に接続され、Ｌ端子はサブコントローラ３４のＴｉｍｉｎｇ１端子に接続され、ＦＧ端子は接地される。
【００３５】
電源ユニット２４は、２つの電源ユニットからなり、それぞれＬ（ライブ）端子、Ｎ（ニュートラル）端子、ＦＧ端子を備える。Ｎ端子は上記のようにメインコントローラ３２に接続され、Ｌ端子はサブコントローラ３４のＴｉｍｉｎｇ２端子に接続され、ＦＧ端子は接地される。
【００３６】
電源ユニット２６は、２つの電源ユニットからなり、それぞれＬ（ライブ）端子、Ｎ（ニュートラル）端子、ＦＧ端子を備える。Ｎ端子は上記のようにメインコントローラ３２に接続され、Ｌ端子はサブコントローラ３４のＴｉｍｉｎｇ３端子に接続され、ＦＧ端子は接地される。
【００３７】
電源ユニット２０は、２つの電源ユニットからなり、それぞれＬ（ライブ）端子、Ｎ（ニュートラル）端子、ＦＧ端子を備える。Ｎ端子及びＬ端子はメインコントローラ３２に接続され、ＦＧ端子は接地される。
【００３８】
サブコントローラ３４のタイミングコントローラ３６は、切替スイッチ１８の切替状態に応じてＴｉｍｉｎｇ１端子、Ｔｉｍｉｎｇ２端子、及びＴｉｍｉｎｇ３端子から出力する信号のタイミングを調整する。すなわち、切替スイッチ１８がパターンＡに設定されている場合、タイミングコントローラ３６は、Ｔｉｍｉｎｇ１端子からパワースイッチ１２のオンのタイミングを基準として１秒の遅延時間経過後に信号（電圧信号）を出力し、Ｔｉｍｉｎｇ２端子からＴｉｍｉｎｇ１端子の出力タイミングを基準として５秒の遅延時間経過後に信号を出力し、Ｔｉｍｉｎｇ３端子からＴｉｍｉｎｇ２端子の出力タイミングを基準として５秒の遅延時間経過後に信号を出力する。パターンＢに設定されている場合、タイミングコントローラ３６は、Ｔｉｍｉｎｇ１端子からパワースイッチ１２のオンのタイミングを基準として１秒の遅延時間経過後に信号を出力し、Ｔｉｍｉｎｇ２端子からＴｉｍｉｎｇ１端子の出力タイミングを基準として５秒の遅延時間経過後に信号を出力し、Ｔｉｍｉｎｇ３端子からＴｉｍｉｎｇ２端子の出力タイミングを基準として５分の遅延時間経過後に信号を出力する。パターンＣに設定されている場合、タイミングコントローラ３６は、Ｔｉｍｉｎｇ１端子からパワースイッチ１２のオンのタイミングを基準として１秒の遅延時間経過後に信号を出力し、Ｔｉｍｉｎｇ２端子からＴｉｍｉｎｇ１端子の出力タイミングを基準として５分の遅延時間経過後に信号を出力し、Ｔｉｍｉｎｇ３端子からＴｉｍｉｎｇ２端子の出力タイミングを基準として５秒の遅延時間経過後に信号を出力する。
【００３９】
さらに、サブコントローラ３４は、Ｔｉｍｉｎｇ１端子、Ｔｉｍｉｎｇ２端子、Ｔｉｍｉｎｇ３端子から信号（電圧信号）が出力されるタイミングに同期してＬＥＤ群１４の点灯タイミングを制御する。パワースイッチ１２がオンされると、ＬＥＤ群１４の３つのＬＥＤを点滅させ、設定された遅延時間が経過してＴｉｍｉｎｇ１端子から信号が出力されると電源ユニット２２に対応するＬＥＤを点滅から点灯状態に制御し、設定された遅延時間が経過してＴｉｍｉｎｇ２端子から信号が出力されると電源ユニット２４に対応するＬＥＤを点滅から点灯状態に制御し、設定された遅延時間が経過してＴｉｍｉｎｇ３端子から信号が出力されると電源ユニット２６に対応するＬＥＤを点滅から点灯状態に制御する。ユーザは、ＬＥＤ群１４の点滅状態あるいは点灯状態を視認することで、電源ユニット２２、２４，２６がそれぞれ待機状態（遅延状態）にあるのか電源オン状態にあるのかを容易に把握できる。切替スイッチ１８をパターンＢからパターンＣに切り替えると、電源ユニット２４及び電源ユニット２６の遅延時間が変更されるため、これらに対応するＬＥＤの点滅から点灯への移行タイミングも変更される。
【００４０】
図３〜図５は、電源ユニット２２，２４，２６の電源オンタイミングを示すタイミングチャートである。
【００４１】
図３は、切替スイッチ１８がパターンＡに設定された場合である。パワースイッチ１２をオンすると、そのタイミングから１秒後にＴｉｍｉｎｇ１端子から信号が出力され電源ユニット２２がオンする。また、電源ユニット２２の電源がオンされてから５秒後にＴｉｍｉｎｇ２端子から信号が出力され電源ユニット２４がオンする。さらに、電源ユニット２４の電源がオンされてから５秒後にＴｉｍｉｎｇ３端子から信号が出力され電源ユニット２６が電源オンする。
【００４２】
図４は、切替スイッチ１８がパターンＢに設定された場合である。パワースイッチ１２をオンすると、そのタイミングから１秒後にＴｉｍｉｎｇ１端子から信号が出力され電源ユニット２２がオンする。また、電源ユニット２２の電源がオンされてから５秒後にＴｉｍｉｎｇ２端子から信号が出力され電源ユニット２４がオンする。さらに、電源ユニット２４の電源がオンされてから５分後にＴｉｍｉｎｇ３端子から信号が出力され電源ユニット２６がオンする。電源ユニット２４に接続された調整機器の起動に時間を要する場合に好適なパターンである。
【００４３】
図５は、切替スイッチ１８がパターンＣに設定された場合である。パワースイッチ１２をｏｎすると、そのタイミングから１秒後にＴｉｍｉｎｇ１端子から信号が出力され電源ユニット２２がオンする。また、電源ユニット２２の電源がオンされてから５分後にＴｉｍｉｎｇ２端子から信号が出力され電源ユニット２４がオンする。さらに、電源ユニット２４の電源がオンされてから５秒後にＴｉｍｉｎｇ３端子から信号が出力され電源ユニット２６がオンする。電源ユニット２２に接続された入力機器の起動に時間を要する場合に好適なパターンである。
【００４４】
なお、電源オフタイミングについては、電源オンタイミングと逆の順番とする。すなわち、パワースイッチ１２がオフされると、タイミングコントローラ３６は、所定の遅延時間後にまず電源ユニット２６をオフし、その後に所定の遅延時間後に電源ユニット２４をオフし、その後に所定の遅延時間後に電源ユニット２２をオフする。このときの遅延時間は、固定値であってもよいし、任意設定可能であってもよい。
【００４５】
以上の実施形態では、電源ユニット２２の遅延時間をパワースイッチ１２のオンタイミングを基準として設定し、電源ユニット２４の遅延時間を電源ユニット２２の電源オンタイミングを基準として設定し、電源ユニット２６の遅延時間を電源ユニット２４の電源オンタイミングを基準として設定しているが、電源ユニット２２，２４，２６の遅延時間を全てパワースイッチ１２のオンタイミングを基準として設定してもよい。
【００４６】
図６は、電源ユニット２２，２４，２６の遅延時間を全てパワースイッチ１２のオンタイミングを基準として設定する場合のタイミングチャートである。パワースイッチ１２をオンすると、そのタイミングから例えば１秒後にＴｉｍｉｎｇ１端子から信号が出力され電源ユニット２２がオンする。また、パワースイッチ１２のオンタイミングから例えば５秒後にＴｉｍｉｎｇ２端子から信号が出力され電源ユニット２４がオンする。さらに、パワースイッチ１２のオンタイミングから例えば１分後にＴｉｍｉｎｇ３端子から信号が出力され電源ユニット２６がオンする。
【００４７】
この場合においても、切替スイッチ１８を操作することで、ユーザは容易に遅延時間を入れ替えることができ、例えば電源ユニット２４，２６の遅延時間を入れ替えることができる。
【００４８】
図７は、電源ユニット２４，２６の遅延時間を入れ替えた場合のタイミングチャートである。パワースイッチ１２をオンすると、そのタイミングから１秒後にＴｉｍｉｎｇ１端子から信号が出力され電源ユニット２２がオンする。また、パワースイッチ１２のオンタイミングから１分後にＴｉｍｉｎｇ２端子から信号が出力され電源ユニット２４がオンする。さらに、パワースイッチ１２のオンタイミングから５秒後にＴｉｍｉｎｇ３端子から信号が出力され電源ユニット２６がオンする。図６のタイミングチャートでは、
パワースイッチ１２のオン→電源ユニット２２がオン→電源ユニット２４がオン→電源ユニット２６がオン
であるところ、図７のタイミングチャートでは、
パワースイッチ１２のオン→電源ユニット２２がオン→電源ユニット２６がオン→電源ユニット２４がオン
であり、電源ユニット２４と電源ユニット２６の電源オンの順番が入れ替わっている点に留意されたい。ユーザは、単に切替スイッチ１８を操作するだけで、電源ユニット２４，２６の通電順序を変更することができる。仮に、電源ユニット２４に出力機器、電源ユニット２６に調整機器を接続したとしても、フロントパネルに設けられた切替スイッチ１８を操作するだけで、入力機器→調整機器→出力機器の通電順序を維持できる。
【００４９】
なお、図７では、電源オンタイミングのみを入れ替えているが、電源オンタイミングの変更に応じ、電源オフタイミングも自動的に変更してもよいのは言うまでもない。すなわち、パワースイッチ１２をオフすると、電源ユニット２４、電源ユニット２６、電源ユニット２２の順番で電源オフしてもよい。
【００５０】
また、本実施形態のパワーディストリビュータ１０は、単独で動作する他に、複数個をカスケード接続して動作することもできる。
【００５１】
図８は、３個のパワーディストリビュータ１０−１，１０−２，１０−３をカスケード接続した場合の構成である。パワーディストリビュータ１０−１には、遅延時間を設定可能な３つの電源ユニットＴ１，Ｔ２，Ｔ３が存在し（例えば電源ユニット２２，２４，２６がそれぞれ電源ユニットＴ１，Ｔ２，Ｔ３に対応する）、パワーディストリビュータ１０−２には、遅延時間を設定可能な３つの電源ユニットＴ４，Ｔ５，Ｔ６が存在し、パワーディストリビュータ１０−３には、遅延時間を設定可能な３つの電源ユニットＴ７，Ｔ８，Ｔ９が存在する。
【００５２】
パワーディストリビュータ１０−１では、例えば図３〜図５に示すように、切替スイッチ１８を切り替えることでＴ１〜Ｔ３の遅延時間を所望の値に設定する。パワーディストリビュータ１０−２，１０−３についても同様である。
【００５３】
他方、パワーディストリビュータ１０−１，１０−２，１０−３間では、直列的に電源をオンする他、並列的に電源をオンしてもよい。前者の場合、Ｔ３の電源がオンしてから設定された遅延時間後にＴ４の電源がオンし、Ｔ６の電源がオンしてから設定された遅延時間後にＴ７の電源がオンする。後者の場合、Ｔ１の電源オンタイミングとＴ４の電源オンタイミングとＴ７の電源オンタイミングを任意に設定でき、Ｔ１の電源オンタイミングを基準としてＴ４の電源オンタイミング及びＴ７の電源オンタイミングを調整してもよい。
【００５４】
以上、本発明の実施形態について説明したが、本発明はこれに限定されるものではなく、種々の変更が可能である。
【００５５】
例えば、本実施形態において、ＬＥＤ群１４とは別に、パワースイッチ１２のオン／オフに連動して消灯／点灯するパワーディストリビュータ１０本体用のＬＥＤをフロントパネルに設けてもよく、入力電圧表示器をフロントパネルに設けてもよい。
【００５６】
また、本実施形態では、遅延時間調整用テーブル１６をフロントパネルに設けているが、液晶表示器に遅延時間調整用テーブル１６を表示してもよく、遅延時間の設定として、図３に示すような遅延時間の設定モードと、図６に示すような遅延時間の設定モードとをユーザが切替可能なように構成してもよい。
【００５７】
また、本実施形態では、切替スイッチ１８として機械的なスイッチを設けているが、タッチパネルに表示されたタッチスイッチや電子スイッチでもよい。
【００５８】
また、本実施形態において、図８に示すようにカスケード接続することを考慮して、パワーディストリビュータ１０を親機あるいは子機のいずれかに設定するためのマスタスイッチをリアパネル等に設けてもよい。マスタスイッチをオンにすると当該パワーディストリビュータ１０は親機として機能し、マスタスイッチをオフにすると当該パワーディストリビュータ１０は子機として機能する。単独で使用する場合にはマスタスイッチをオンに設定する。他方、図８のようなカスケード接続では、パワーディストリビュータ１０−１のマスタスイッチをオンにして親機に設定し、パワーディストリビュータ１０−２，１０−３のマスタスイッチをオフにして子機に設定する。親機に設定されたパワーディストリビュータ１０−１は、パワースイッチ１２がオンされるとそのタイミングでコントロール信号を子機であるパワーディストリビュータ１０−２，１０−３に出力する。子機であるパワーディストリビュータ１０−２，１０−３のタイミングコントローラ３６は、当該コントロール信号を基準として、電源ユニットＴ４，Ｔ７の電源オンタイミングを調整する。
【００５９】
また、本実施形態では、切替スイッチ１８により電源ユニット２４と電源ユニット２６の遅延時間を入れ替える構成としているが、電源ユニット２２と電源ユニット２４の遅延時間、あるいは電源ユニット２２と電源ユニット２６の遅延時間を入れ替える構成としてもよい。例えば、
パターンＤ：
電源ユニット２２のＴｉｍｉｎｇ１＝５ｓ
電源ユニット２４のＴｉｍｉｎｇ２＝１ｓ
電源ユニット２６のＴｉｍｉｎｇ３＝５ｍ
パターンＥ：
電源ユニット２２のＴｉｍｉｎｇ１＝５ｍ
電源ユニット２４のＴｉｍｉｎｇ２＝５ｓ
電源ユニット２６のＴｉｍｉｎｇ３＝１ｓ
等である。
【００６０】
一般的に、電源ユニット２２，２４，２６の遅延時間をそれぞれｄ１、ｄ２、ｄ３とし、基本のパターンを（ｄ１，ｄ２，ｄ３）とすると、いずれかを入れ替えたパターンとして、（ｄ２，ｄ１，ｄ３）、（ｄ１，ｄ３，ｄ２）、（ｄ３，ｄ２，ｄ１）があり得る。これらのパターンは、テーブル１６のようにフロントパネルに一覧表示してもよく、あるいは階層表示してもよい。
【００６１】
さらに、本実施形態では、電源ユニット２０を遅延時間調整不可、電源ユニット２２，２４，２６を遅延時間設定可能としているが、遅延時間調整不可の電源ユニットはなくてもよく、遅延時間調整可能の電源ユニットは２つ以上あればよい。最も簡易な構成は、１つの電源ユニットからなる電源ユニット２２と、１つの電源ユニットからなる電源ユニット２４を備え、切替スイッチ１８で電源ユニット２２の遅延時間と電源ユニット２４の遅延時間を切り替える構成である。
【符号の説明】
【００６２】
１０  パワーディストリビュータ、１２  パワースイッチ、１４  ＬＥＤ群、１６  遅延時間調整用テーブル、１８  切替スイッチ、２０  電源ユニット（遅延時間設定不可）、２２，２４，２６  電源ユニット（遅延時間設定可能）。
【図１】
0006497204.tif 000002
【図２】
0006497204.tif 000003
【図３】
0006497204.tif 000004
【図４】
0006497204.tif 000005
【図５】
0006497204.tif 000006
【図６】
0006497204.tif 000007
【図７】
0006497204.tif 000008
【図８】
0006497204.tif 000009